(57)【要約】【課題】アダプタの上面にブレーカを搭載したブレーカユニットにおいて、２回路以上の回路数を必要とする場合でもスペースをとらず、ブレーカの交換が無駄なく出来るブレーカユニットを提供する。【解決手段】背面に母線バー接続部を設けたアダプタ３と、このアダプタ３の上面に電源側端子４１を向かい合わせて搭載した少なくとも２台のブレーカ４、４と、前記した母線バー接続部から電源側端子４１に達するように２台のブレーカ４、４間に介入されて各ブレーカ４の電源側端子４１、４１と前記プラグ端子２とを接続する分岐バー２とを備えていて、このブレーカユニット１を母線バー１００に接続することで、２回路分のブレーカの接続が完了するので、作業性が向上する上、小さいスペースで収納でき、また、ブレーカが故障した場合は該当のブレーカのみを交換するだけで無駄なく対応できるようにした。【選択図】図２
2008271710.tif 000002
【特許請求の範囲】
【請求項１】
背面に母線バーとの接続部を設けたアダプタと、このアダプタの上面に電源側端子を向かい合わせて搭載した少なくとも２台のブレーカと、前記した母線バー接続部から電源側端子に達するように２台のブレーカ間に介入されて各ブレーカの電源側端子と前記した母線バー接続部とを接続する分岐バーとを備えた分電盤のブレーカユニット。
【請求項２】
アダプタの中央部に設けた分岐バー通過孔の、母線バーと水平方向の縁部をブレーカ取付面側に立設させた請求項１に記載の分電盤のブレーカユニット。
【請求項３】
アダプタの母線バー接続部から電源側端子に達するように２台のブレーカ間に介入される分岐バーが、一端を母線バー接続用のプラグ端子との接続部としたベース片部の他端より接続片部を立ち上がらせてその上端を接続端子部とした接続導体と、この接続端子部に着脱自在で、両端がブレーカの電源端子部との接続部に形成されている接続バーとよりなる請求項１または２に記載の分電盤のブレーカユニット。
【発明の詳細な説明】
【技術分野】
【０００１】
本発明は、アダプタの上面にブレーカを搭載したブレーカユニット関するものである。
【背景技術】
【０００２】
従来、背面に母線バーとの接続部を設けたアダプタの上面にブレーカを搭載したブレーカユニットは、例えば、特許文献１に記載されているように、１台のブレーカを搭載するものであった。ところが、２回路以上必要な場合、すなわち２台以上のブレーカが必要な場合はその数分のアダプタと収納スペースが必要であった。
【０００３】
また、特許文献２に記載されているように、２回路分の回路を一体に成形したブレーカがあったが、このようなものは、１回路が故障したとき、ブレーカごと取り替える必要があり、正常に動作する1回路分が無駄になるという問題があった。
【特許文献１】特開２００５−１５８４２０号公報
【特許文献２】特開２００３−２４２８７５号公報
【発明の開示】
【発明が解決しようとする課題】
【０００４】
本発明は前記のような従来の問題点を解決して、２回路以上の回路数を必要とする場合でもスペースをとらず、ブレーカの交換が無駄なく出来るブレーカユニットを提供する。
【課題を解決するための手段】
【０００５】
本発明のブレーカユニットは、背面に母線バーとの接続部を設けたアダプタと、このアダプタの上面に電源側端子を向かい合わせて搭載した少なくとも２台のブレーカと、前記した母線バー接続部から電源側端子に達するように２台のブレーカ間に介入されて各ブレーカの電源側端子と前記した母線バー接続部とを接続する分岐バーを備えたことを特徴とする。また、この発明において、アダプタの中央部に設けた分岐バー通過孔の、母線バーと水平方向の縁部をブレーカ取付面側に立設させてもよい。また、各ブレーカの電源側端子と前記した母線バー接続部とを接続する分岐バーとしては、一端を母線バー接続用のプラグ端子との接続部としたベース片部の他端より接続片部を立ち上がらせてその上端を接続端子部とした接続導体と、この接続端子部に着脱自在であって両端がブレーカの電源端子部との接続部に形成されている接続バーとよりなるものとすれば、ブレーカ間に介在させるスペースを最小とすることができるので全体をコンパクト化するうえで好ましいものとなる。
【発明の効果】
【０００６】
本発明のブレーカユニットは、アダプタの上面に少なくとも２台のブレーカを搭載したブレーカユニットを母線バーに接続することで、２回路分のブレーカの接続が完了するので、作業性が向上する上、１台のブレーカを搭載したブレーカユニットと同じ数のブレーカを小さいスペースで収納できる。また、ブレーカはアダプタに着脱可能に取付けられているので、どちらかのブレーカが故障した場合、該当のブレーカを交換するだけで対応できるので無駄がない。
【０００７】
また、アダプタの中央部に設けた分岐バー通過孔の、母線バーと水平方向の縁部をブレーカ取付面側に立設させることにより、分岐バーと機器取付ベースとの絶縁距離を充分に確保することができる。
【発明を実施するための最良の形態】
【０００８】
次に、本発明の好ましい実施の形態を図に基づき説明する。
図１は第１の実施形態を使用した分電盤を示す図であり、図２から図５は第１の実施形態を示す図である。
図において、１はブレーカユニットであり、このブレーカユニット１は、背面に母線バー接続部であるプラグ端子２１を３個設けた合成樹脂製のアダプタ３の上面に２台のブレーカ４、４を、それぞれの電源側端子４１、４１が向かい合わせとなるように相互間に所要の空間をあけて配置してねじにより着脱可能に搭載し、前記したプラグ端子２１とブレーカ４の電源側端子４１、４１とを２台のブレーカ４、４間の前記空間に一部を介在させた分岐バー２により、電気的に接続したものである。
【０００９】
向かい合わせて搭載されるブレーカ４、４間の空間に一部が介在されて各ブレーカ４の電源側端子４１、４１と前記した母線バー接続部とを接続する分岐バー２としてこの実施形態で示したものは、図９に示すように、一端を母線バー接続用のプラグ端子２２と、前記した接続端子部２２ｂに着脱自在に螺子止めされた平板の接続バー接続バー２３とよりなり、この接続バー２３の両端をブレーカ４の電源端子部４１、４１との接続部２３ｂ、２３ｂに形成したものとしている。
【００１０】
また、前記したブレーカユニット１は、分電盤の盤面に垂直に配置した３本の母線バー１００にプラグイン式に嵌脱自在とした前記プラグ端子２１を接続した３本の接続導体２２をもって分電盤の盤面と平行にアダプタ３の背面に配置し、前記した接続導体２２をその接続片部２２ａがアダプタ３の中央部に設けた通過孔３１を介して２台のブレーカ４、４間の空間に介在されるように立ち上がらせて、各接続片部２２ａの先端に設けた接続端子部２２ｂをアダプタ３の上面側に臨ませ、この接続端子部２２ｂに平板の接続バー２３をその中央部の接続部２３ａにおいて螺合し、この接続バー２３の両端部２３ｂ、２３ｂにブレーカ４、４の電源端子部４１、４１を接続して構成される。
【００１１】
そして、このブレーカユニット１は、ベース片部２２ｃの一端に接続したプラグ端子２１により母線バー１００に接続したうえ、母線バー１００の両側に設置したブレーカユニット取付レール２００にアダプタ３の両側に張設した取付片部３２、３２を支持させ、取付片部に設けた取付孔３２ａにねじを挿通して、前記取付レール２００に設けた取付孔２０１に固定して取り付けるものである。なお、アダプタ３は上面に機器取付ベース３３を介在させてブレーカ４、４が取付けられている。
【００１２】
このように、ブレーカ４はアダプタ３の上面に２台のブレーカ４、４を搭載したものであるから、ブレーカユニット１を母線バー１００に接続することで、２回路分のブレーカの接続が完了するため、作業性が向上するうえ、１台を搭載したものに比べ、小さいスペースでブレーカの収納が可能である。また、多数の回路が必要な場合、分電盤自体の大きさを大きくすること無く、ブレーカの収納数を増やすことが出来る。さらに、ブレーカ４、４はそれぞれ着脱可能に搭載されているので、どちらかのブレーカが故障した場合、該当のブレーカのみを交換するだけで無駄なく対応できる。
【００１３】
また、ブレーカ４はアダプタ３の上面に電源側端子４１を向かい合わせて搭載したものであるから、アダプタ３の中央部に設けた通過孔３１より接続片部２２ａを立上がらせ、接続バー２３により両端部２３ｂ、２３ｂをブレーカ４の電源側端子４１に接続すればよく、簡単な構造で接続が可能である。
【００１４】
また図５に示すように、アダプタ３の中央部に設けた通過孔３１の母線バーと水平方向の縁部３１ａをブレーカ取付面側に立設させることにより、接続導体２２と金属製の機器取付ベース３３との絶縁距離を充分に確保することができるので、通過孔３１の幅を狭くし、ブレーカユニットの横幅を小さくすることができ、分電盤の横幅を小さくすることが可能である。また、図６に示すように、ブレーカ４の電源側端子４１に端子カバー５を取付け、通過孔３１の母線バーと垂直方向の縁部３１ｂをブレーカ取付面側に端子カバー５の下端部まで覆うように立設させることにより、接続片部２２ａ及び接続バー２３がより確実に保護される。なお、通過孔３１の縁部ではなく、アダプタ３の上下辺３４の中央部のみにブレーカ取付面側に壁を設けても良い。
【００１５】
また図７に示すものは本発明の第２の実施形態であり、前記した第１の実施形態と基本構成は略同じであるが、第１の実施形態においては各ブレーカ４の電源側端子４１や分岐バー２の安全性を保つための手段を特に限定していないのに対し、第２の実施形態では、電源側端子４１を向かい合わせた２台のブレーカ４、４間に形成される空間の上面と側面を覆って各ブレーカ４の電源側端子４１、４１と、アダプタ３の中央部の通過孔３１より立ち上がらせた分岐バー２の一部である接続導体２２の接続片部２２ａ及びその上端の接続バー２３とを同時に保護する端子カバー５を設けてある点に特徴があり、これにより、各ブレーカ毎に端子カバーを設けたものに比べ、部品点数が減り、作業性が向上するうえ、接続片部２２ａ及び接続バー２３も確実に覆うことができるため、感電の防止もできる。また、天板部５３にそれぞれの相を表示することにより、作業性が向上するうえ、誤配線がなくなる。なお、この実施形態で示した端子カバー５は、図８に示すように、２台のブレーカ４、４の間の空間幅より広幅で、所要の通気孔５２が配設されている天板部５３の下面から、それぞれの相を絶縁する隔壁５１を垂設して相間の絶縁をも適切に行うことができるものとしている。また、端子カバー５を透明にすることにより、接続バー２３の中央部の接続部２３ａ及びブレーカ４の電源側端子４１の螺合状態を目視することができる。
【００１６】
以上においては、母線バーを３本として実施形態を説明したが、母線バー１００は３相４線式のものに合せ４本とすることもでき、何本であってもよく、また、ブレーカユニットに搭載するブレーカの数は２台以上であってもよい。さらに、母線バー１００への接続のプラグ端子２１は、母線バー１００側にプラグ端子がある場合は、差込片でもよい。
【図面の簡単な説明】
【００１７】
【図１】本発明の第１の実施形態を使用した分電盤を分解して示す斜視図。
【図２】本発明の第１の実施形態を示す斜視図。
【図３】本発明の第１の実施形態のブレーカユニットの母線バー接続部を示す斜視図。
【図４】本発明の第１の実施形態の端子カバーを外した状態を示す斜視図。
【図５】本発明の第１の実施形態のブレーカユニットのアダプタからブレーカを外した状態を示す斜視図。
【図６】本発明の第１の実施形態の平面図。
【図７】本発明の第２の実施形態を示す斜視図。
【図８】本発明の第２の実施形態の端子カバーを示す斜視図。
【図９】本発明で用いる分岐バーの１例を示す斜視図。
【符号の説明】
【００１８】
１  ブレーカユニット
２  分岐バー
21  プラグ端子
22  接続導体
22a  接続辺部
22b  接続端子部
22c  ベース片部
23  接続バー
23a  接続部
23b  両端部
３  アダプタ
31  通過孔
31a  母線バーと水平方向の縁部
32b  母線バーと垂直方向の縁部
32  取付片部
32a  取付孔
33  機器取付ベース
４  ブレーカ
41  電源側端子
５  端子カバー
100  母線バー
200  取付レール
201  取付孔
【図１】
2008271710.tif 000003
【図２】
2008271710.tif 000004
【図３】
2008271710.tif 000005
【図４】
2008271710.tif 000006
【図５】
2008271710.tif 000007
【図６】
2008271710.tif 000008
【図７】
2008271710.tif 000009
【図８】
2008271710.tif 000010
【図９】
2008271710.tif 000011